(57)【要約】【課題】本発明は少なくとも３つ以上の接続対象物と接続できる構造のコネクタの提供。【解決手段】本目的は複数の接続部を有するコンタクトと、コンタクトが保持・配列されるハウジング１２とを備えるコネクタ１０において、コンタクトには３つの接続部（第１接続部２０１、４０１、第２接続部２０２、４０２、第３接続部２０３、４０３）を設けるとともに３つの接続部を略Ｕ字形状に配置し、３つのうちの１つの接続部が向き合うように２つのコンタクト（第１コンタクト２０、第２コンタクト４０）をハウジング１２に保持し、ハウジング１２には、向き合う接続部（第１コンタクト２０の第３接続部２０３、第２コンタクト４０の第１接続部４０１）が突出する嵌合溝５を設け、２つのコンタクト２０、４０の残りの全ての接続部はハウジング１２の外側面１２３、１２３及び底面１２４側に位置するように配置されることを特徴とするコネクタ１０により達成できる。【選択図】  図１
2013008500.tif 000002
【特許請求の範囲】
【請求項１】
複数の接続対象物と接続するコネクタであって、
前記接続対象物と接続する複数の接続部を有するコンタクトと、該コンタクトが保持・配列されるハウジングとを備えるコネクタにおいて、
前記コンタクトには３つの接続部（第１接続部、第２接続部、第３接続部）を設けるとともに３つの前記接続部を略Ｕ字形状に配置し、３つのうちの１つの前記接続部が向き合うように２つの前記コンタクト（第１コンタクト、第２コンタクト）を前記ハウジングに保持し、
前記ハウジングには、向き合う前記接続部（第１コンタクトの第３接続部、第２コンタクトの第１接続部）が突出する嵌合溝を設け、２つの前記コンタクトの残りの全ての前記接続部は前記ハウジングの外側面及び底面側に位置するように配置されることを特徴とするコネクタ。
【請求項２】
前記第１コンタクトの第１接続部と第３接続部及び前記第２コンタクトの第１接続部は略湾曲形状をし、前記第１コンタクトの第３接続部及び前記第２コンタクトの第１接続部は前記嵌合溝内に突出し、前記第１コンタクトの第１接続部は前記ハウジングから突出し、
前記第２コンタクトの第３接続部は略コ字形状をし、前記第２コンタクトの第３接続部は前記ハウジング内に位置することを特徴とする請求項１記載のコネクタ。
【請求項３】
前記第１コンタクト及び前記第２コンタクトには、前記第１コンタクトの第１接続部と第３接続部及び前記第２コンタクトの第１接続部と第３接続部からそれぞれ延設した第１係合部と第３係合部を設け、
前記ハウジングにはそれぞれの第１係合部と第３係合部と係合する第１〜第４係止部を設け、
それぞれの係合部と係止部とを係合させることにより前記第１コンタクトの第１接続部と第３接続部及び前記第２コンタクトの第１接続部と第３接続部にプリテンションを持たせることを特徴とする請求項１または２記載のコネクタ。
【請求項４】
前記第１コンタクトの第２接続部及び前記第２コンタクトの第２接続部は略板状をし、前記第１コンタクトの第２接続部及び前記第２コンタクトの第２接続部を基板に実装することを特徴とする請求項１、２または３記載のコネクタ。
【請求項５】
前記コネクタに、前記コネクタ同士を繋ぎ合わせる連結手段を設けることを特徴とする請求項１、２または３、４記載のコネクタ。
【請求項６】
前記連結手段として、幅方向のどちらか一方の側面に内側に突出した略Ｌ字形状の係合突出片を長手ピッチ方向両側に設け、逆側（他方）の側面に外側に突出した略Ｌ字形状の係止突出片を前記係合突出片に対応する位置に設け、前記係合突出片と前記係止突出片を係合させることによりコネクタを連結させることを特徴とする請求項５記載のコネクタ。
【請求項７】
前記第１コンタクトの第１接続部と前記第２コンタクトの第３接続部とを接続させることにより請求項１〜６記載のコネクタを複数連設させることを特徴とするコネクタ装置。
【請求項８】
前記ハウジングの嵌合溝に、基板を挿入することを特徴とする請求項７記載のコネクタ装置。
【発明の詳細な説明】
【技術分野】
【０００１】
本発明は、ＰＬＣ（プログラマブルロジックコントローラ）やＰＣや交換機等の通信機器や電気機器や電子機器に使用されるコネクタに関するもので、特に、簡単な構造で、かつ、容易に複数の接続対象物との接続ができる構造に関するものである。
【背景技術】
【０００２】
一般的に、複数の接続対象物を接続する場合には、１つ乃至２つ以上のコネクタが使用される。例えば、２つの基板間を接続する場合には、下記に示す特許文献１のように、１つのコネクタでコンタクトを両方の基板に接触する方法もあるが、特許文献３のように２つのコネクタをそれぞれの基板に実装させた後に２つのコネクタ同士を嵌合させる方法もある。また、マザーボードとドウターボードを接続させる場合、特許文献２のように１つのコネクタに前記ドウターボードが入る挿入溝を設け、かつ、前記コネクタをマーザーボードに実装する方法がある。複数のドウターボードを接続する場合には、接続するドウターボードの数分だけコネクタを用意すればよい。
下記に、１つのコネクタで、２つの基板間を接続するタイプの特許文献１（特表２００１−５０２４４６）と１つのコネクタでマザーボードとドウターボードを接続するタイプの特許文献２（特開２００２−９４２６６）と２つのコネクタを用いて２つの基板間を接続するタイプの特許文献３（特開２００７−１８７８５）を挙げる。
【特許文献１】特表２００１−５０２４４６の要約によると、ＳＩＭカードの如きチップカードを印刷回路基板に電気的に接続する装置は、チップカードの接触点に一致するよう配置される開口（３）を具える基部プレート（２）を有するハウジング(１)、及びそのハウジング内に提供される略Ｕ字形状のコンタクト（４）を有し、コンタクト（４）はチップカードに接触されるための第１ばね脚部(４１)、回路基板に接触するための第２ばね脚部(４２)、ハウジング（１）に固定されるための中央領域（４３）を有し、第１ばね脚部（４１）は基部プレート（２）に略平行に配置され、開口（３）を貫通して接触領域（４１１）を有し、コンタクト（４）の中央領域（４３）は基部プレート（２）に略直交方向に延びる構造のチップカードを印刷回路基板に電気的に接続する装置が開示されている。
【特許文献２】特開２００２−９４２６６の要約によると、斯る現状に鑑みてなされたものであって、基板の重量に関係なく、振動や衝撃でもイジェクトロックが外れることがなく、安定した接続が得られる電気コネクタを提供とし、所要数のコンタクト１４と、このコンタクト１４を保持・固定すると共に長手方向両側にガイド部４４を有し、かつ、基板４６が挿入される嵌合口３２を有するハウジング１２と、ガイド部４４に回動可能に装着されたイジェクトロック１８とからなる電気コネクタにおいて、基板４６が嵌合口３２に挿入された際に、イジェクタロック１８の係合部３８が基板４６の係止部４８から外れないようにガイド部４４にロック保護部材１６を装着することにより達成でき、ロック保護部材１６が摺動する際に双方のガイド突起でロック保護部材１６をガイドできるようにする構造の電気コンネクタが開示されている、。
【特許文献３】特開２００７−１８７８５の要約によると、簡単な構造で０．７ｍｍ以上のフローティング量を確保することができ、かつコネクタ同士の嵌合時に基板との短絡がなく、接続不良に繋がらないコネクタの提供することを目的とし、コンタクト１６には接触部２２と第一固定部２４と弾性部２６と第二固定部２８と接続部３０とを備えこの順で配置し、弾性部２６の形状を略クランク状にし、絶縁体は固定用ブロック１２と可動用ハウジング１４とから構成され、ブロック１２には第二固定部２８が固定されるとともにハウジング１４には第一固定部２４が固定され、ハウジング１４はコンタクト１６にのみ固定されるとともにブロック１２の底面側より浮遊するようにコンタクト１６の弾性部２６によってフローティング可能に保持することで達成できる構造のコネクタが開示されている。
【発明の開示】
【発明が解決しようとする課題】
【０００３】
近年、用途が多様化するにつれ、１つのコネクタで少なくとも３つ以上の接続対象物と接続できる構造のコネクタが要求されてきている。しかしながら、上記に挙げた文献では、次のような問題がある。
特許文献１の構造では、２つの基板間若しくはコネクタ同士を繋ぎ合せること、基板とコネクタとを繋ぎ合せることしかできない。つまり、２つの接続対象物としか接続することが出来ない。コネクタ同士を繋ぎ合わせた場合、コンタクトの接触部の形状がともに湾曲しているため、安定した接続を得難い。
特許文献２は所謂カードエッジのコネクタで、この構造では、１つのマザーボードと１つのドウターボードにしか接続することができなく、複数のドウターボードと接続したい場合にはドウターボードの数だけのコネクタが必要になってしまう。つまり、２つの接続対象物としか接続することが出来ない。
特許文献３は所謂ツーピースのコネクタで、この構造では、２つの基板間しか接続できない。つまり、２つの接続対象物としか接続することが出来ない。
【０００４】
本発明は、このような従来の問題点に鑑みてなされたもので、少なくとも３つ以上の接続対象物と接続できる構造のコネクタを提供せんとするものである。
【課題を解決するための手段】
【０００５】
本目的は、請求項１記載のように、複数の接続対象物と接続するコネクタであって、
前記接続対象物と接続する複数の接続部を有するコンタクトと、該コンタクトが保持・配列されるハウジングとを備えるコネクタにおいて、
前記コンタクトには３つの接続部（第１接続部、第２接続部、第３接続部）を設けるとともに３つの前記接続部を略Ｕ字形状に配置し、３つのうちの１つの前記接続部が向き合うように２つの前記コンタクト（第１コンタクト、第２コンタクト）を前記ハウジングに保持し、
前記ハウジングには、向き合う前記接続部（第１コンタクトの第３接続部、第２コンタクトの第１接続部）が突出する嵌合溝を設け、２つの前記コンタクトの残りの全ての前記接続部は前記ハウジングの外側面及び底面側に位置するように配置されることを特徴とするコネクタにより達成できる。
【０００６】
請求項２記載のコネクタは、前記第１コンタクトの第１接続部と第３接続部及び前記第２コンタクトの第１接続部は略湾曲形状をし、前記第１コンタクトの第３接続部及び前記第２コンタクトの第１接続部は前記嵌合溝内に突出し、前記第１コンタクトの第１接続部は前記ハウジングから突出し、
前記第２コンタクトの第３接続部は略コ字形状をし、前記第２コンタクトの第３接続部は前記ハウジング内に位置することを特徴とする請求項１記載のコネクタにある。
また、請求項３記載のコネクタは、前記第１コンタクト及び前記第２コンタクトには、前記第１コンタクトの第１接続部と第３接続部及び前記第２コンタクトの第１接続部と第３接続部からそれぞれ延設した第１係合部と第３係合部を設け、
前記ハウジングにはそれぞれの第１係合部と第３係合部と係合する第１〜第４係止部を設け、
それぞれの係合部と係止部とを係合させることにより前記第１コンタクトの第１接続部と第３接続部及び前記第２コンタクトの第１接続部と第３接続部にプリテンションを持たせることを特徴とする請求項１または２記載のコネクタにある。
さらに、請求項４記載のコネクタは、前記第１コンタクトの第２接続部及び前記第２コンタクトの第２接続部は略板状をし、前記第１コンタクトの第２接続部及び前記第２コンタクトの第２接続部を基板に実装することを特徴とする請求項１、２または３記載のコネクタにある。
【０００７】
請求項５記載のコネクタは、前記コネクタに、前記コネクタ同士を繋ぎ合わせる連結手段を設けることを特徴とする請求項１、２または３、４記載のコネクタにある。
また、請求項６記載のコネクタは、前記連結手段として、幅方向のどちらか一方の側面に内側に突出した略Ｌ字形状の係合突出片を長手ピッチ方向両側に設け、逆側（他方）の側面に外側に突出した略Ｌ字形状の係止突出片を前記係合突出片に対応する位置に設け、前記係合突出片と前記係止突出片を係合させることによりコネクタを連結させることを特徴とする請求項５記載のコネクタにある。
【０００８】
請求項７記載のコネクタ装置は、前記第１コンタクトの第１接続部と前記第２コンタクトの第３接続部とを接続させることにより請求項１〜６記載のコネクタを複数連設させることを特徴とするコネクタ装置にある。
また、請求項８記載のコネクタ装置は、前記ハウジングの嵌合溝に、基板を挿入することを特徴とする請求項７記載のコネクタ装置にある。
【発明の効果】
【０００９】
以上の説明から明らかなように、本発明のコネクタ及びコネクタ装置によると、次のような優れた効果が得られる。本発明のコネクタでは、３つ以上の接続対象物と接続することが可能であり、容易にコネクタ同士を繋ぎ（接続）合せることができる。
（１）請求項１記載のように、複数の接続対象物と接続するコネクタであって、前記接続対象物と接続する複数の接続部を有するコンタクトと、該コンタクトが保持・配列されるハウジングとを備えるコネクタにおいて、前記コンタクトには３つの接続部（第１接続部、第２接続部、第３接続部）を設けるとともに３つの前記接続部を略Ｕ字形状に配置し、３つのうちの１つの前記接続部が向き合うように２つの前記コンタクト（第１コンタクト、第２コンタクト）を前記ハウジングに保持し、前記ハウジングには、向き合う前記接続部（第１コンタクトの第３接続部、第２コンタクトの第１接続部）が突出する嵌合溝を設け、２つの前記コンタクトの残りの全ての前記接続部は前記ハウジングの外側面及び底面側に位置するように配置されることを特徴とするコネクタにしているので、３つ以上の接続対象物と接続することが可能であり、各接続対象物と安定して接続を得ることができる。
（２）請求項２記載のコネクタは、前記第１コンタクトの第１接続部と第３接続部及び前記第２コンタクトの第１接続部は略湾曲形状をし、前記第１コンタクトの第３接続部及び前記第２コンタクトの第１接続部は前記嵌合溝内に突出し、前記第１コンタクトの第１接続部は前記ハウジングから突出し、前記第２コンタクトの第３接続部は略コ字形状をし、前記第２コンタクトの第３接続部は前記ハウジング内に位置することを特徴とする請求項１記載のコネクタにしているので、３つ以上の接続対象物と接続することが可能であり、各接続対象物と安定して接続を得ることができ、ドウターボードとの接続も可能で、コネクタ同士を繋ぎ合わせた時に安定した接続を得ることができる。
（３）請求項３記載のコネクタは、前記第１コンタクト及び前記第２コンタクトには、前記第１コンタクトの第１接続部と第３接続部及び前記第２コンタクトの第１接続部と第３接続部からそれぞれ延設した第１係合部と第３係合部を設け、前記ハウジングにはそれぞれの第１係合部と第３係合部と係合する第１〜第４係止部を設け、それぞれの係合部と係止部とを係合させることにより前記第１コンタクトの第１接続部と第３接続部及び前記第２コンタクトの第１接続部と第３接続部にプリテンションを持たせることを特徴とする請求項１または２記載のコネクタにしているので、３つ以上の接続対象物と接続することが可能であり、各接続対象物と安定して接続を得ることができ、ドウターボードとの接続も可能で、コネクタ同士を繋ぎ合わせた時に安定した接続を得ることができ、容易にプリテンションを持たせることができる。
（４）請求項４記載のコネクタは、前記第１コンタクトの第２接続部及び前記第２コンタクトの第２接続部は略板状をし、前記第１コンタクトの第２接続部及び前記第２コンタクトの第２接続部を基板に実装することを特徴とする請求項１、２または３記載のコネクタにしているので、３つ以上の接続対象物と接続することが可能であり、各接続対象物と安定して接続を得ることができ、ドウターボードとの接続も可能で、コネクタ同士を繋ぎ合わせた時に安定した接続を得ることができる。
（５）請求項５記載のコネクタは、前記コネクタに、前記コネクタ同士を繋ぎ合わせる連結手段を設けることを特徴とする請求項１、２または３、４記載のコネクタにしているので、３つ以上の接続対象物と接続することが可能であり、各接続対象物と安定して接続を得ることができ、ドウターボードとの接続も可能で、容易にコネクタ同士を連結でき、コネクタ同士を繋ぎ合わせた時に安定した接続を得ることができる。
（６）請求項６記載のコネクタは、前記連結手段として、幅方向のどちらか一方の側面に内側に突出した略Ｌ字形状の係合突出片を長手ピッチ方向両側に設け、逆側（他方）の側面に外側に突出した略Ｌ字形状の係止突出片を前記係合突出片に対応する位置に設け、前記係合突出片と前記係止突出片を係合させることによりコネクタを連結させることを特徴とする請求項５記載のコネクタにしているので、３つ以上の接続対象物と接続することが可能であり、各接続対象物と安定して接続を得ることができ、ドウターボードとの接続も可能で、容易にコネクタ同士を連結でき、コネクタ同士を繋ぎ合わせた時に安定した接続を得ることができる。
【００１０】
（７）請求項７記載のコネクタ装置は、前記第１コンタクトの第１接続部と前記第２コンタクトの第３接続部とを接続させることにより請求項１〜６記載のコネクタを複数連設させることを特徴とするコネクタ装置にしているので、３つ以上の接続対象物と接続することが可能であり、各接続対象物と安定して接続を得ることができ、ドウターボードとの接続も可能で、コネクタ同士を繋ぎ合わせた時に安定した接続を得ることができる。
（８）請求項８記載のコネクタ装置は、前記ハウジングの嵌合溝に、基板を挿入することを特徴とする請求項５記載のコネクタ装置にしているので、３つ以上の接続対象物と接続することが可能であり、各接続対象物と安定して接続を得ることができ、ドウターボードとの接続も可能で、コネクタ同士を繋ぎ合わせた時に安定した接続を得ることができる。
【図面の簡単な説明】
【００１１】
【図１】（Ａ）  嵌合溝上方より見たコネクタの斜視図である。（Ｂ）  嵌合溝と反対側より見たコネクタの斜視図である。（Ｃ）  あるコンタクト部分で断面した断面図である。
【図２】（Ａ）  第１コンタクトの斜視図である。（Ｂ）  第２コンタクトの斜視図である。
【図３】（Ａ）  嵌合溝上方より見たハウジングの斜視図である。（Ｂ）  嵌合溝と反対側より見たハウジングの斜視図である。（Ｃ）  ある挿入溝部分で断面した断面図である。
【図４】（Ａ）  連結した状態の２つのコネクタを、嵌合溝上方より見た斜視図である。（Ｂ）  連結した状態の２つのコネクタを、嵌合溝と反対側より見た斜視図である。（Ｃ）  あるコンタクト部分で断面した断面図である。
【図５】連結した状態の２つのコネクタの嵌合溝に、２つの基板が挿入された状態の斜視図である。
【発明を実施するための最良の形態】
【００１２】
本発明の特徴は、複数の接続対象物と接続するコネクタ１０であって、前記接続対象物と接続する複数の接続部を有するコンタクトと、該コンタクトが保持・配列されるハウジング１２とを備えるコネクタ１０において、前記コンタクトには３つの接続部（第１接続部２０１、４０１、第２接続部２０２、４０２、第３接続部２０３、４０３）を設けるとともに３つの前記接続部を略Ｕ字形状に配置し、３つのうちの１つの前記接続部が向き合うように２つの前記コンタクト（第１コンタクト２０、第２コンタクト４０）を前記ハウジング１２に保持し、前記ハウジング１２には、向き合う前記接続部（第１コンタクト２０の第３接続部２０３、第２コンタクト４０の第１接続部４０１）が突出する嵌合溝５を設け、２つの前記コンタクト２０、４０の残りの全ての前記接続部は前記ハウジング１２の外側面１２３、１２３及び底面１２４側に位置するように配置されることを特徴とするコネクタ１０である。
つまり、略Ｕ字形状をした３つの接続部を有する２つのコンタクトを、１つの接続対象物が入る嵌合溝５を有するハウジング１２に、並べるように３つの接続部のうち１つが前記嵌合溝５内に突出し、かつ、残りの接続部が外側面及び底面に位置するように配置することで、少なくとも３つ以上の接続対象物と接続できるようにしたものである。
【００１３】
図１（Ａ）は嵌合溝上方より見たコネクタの斜視図であり、（Ｂ）は嵌合溝と反対側より見たコネクタの斜視図であり、（Ｃ）はあるコンタクト部分で断面した断面図である。図２（Ａ）は第１コンタクトの斜視図であり、（Ｂ）は第２コンタクトの斜視図である。図３（Ａ）は嵌合溝上方より見たハウジングの斜視図であり、（Ｂ）は嵌合溝と反対側より見たハウジングの斜視図であり、（Ｃ）はある挿入溝部分で断面した断面図である。図４（Ａ）は連結した状態の２つのコネクタを、嵌合溝上方より見た斜視図であり、（Ｂ）は連結した状態の２つのコネクタを、嵌合溝と反対側より見た斜視図であり、（Ｃ）はあるコンタクト部分で断面した断面図である。図５は連結した状態の２つのコネクタの嵌合溝に、２つの基板が挿入された状態の斜視図である。
本実施例のコネクタ１０は、２種類の複数のコンタクト（第１及び第２コンタクト２０、４０）とハウジング１２とを備えている。
【００１４】
本発明のコネクタ１０について説明する前に、前記コネクタ１０の嵌合溝５に挿入する接続対象物やそれぞれの接続部に接続される接続対象物について説明する。前記接続対象物としては、ＦＰＣや基板やメモリーカードや相手コネクタや本コネクタ１０等を挙げることができる。本実施例では、前記嵌合溝５に挿入される接続対象物は基板８０であり、側面に位置する接続部に接続されるのは本コネクタ１０である。つまり、本コネクタ１０複数連結させ、コネクタ装置１として用い、複数の前記嵌合溝５に基板（ドウターボード）８０を差し込む構造になっている。
【００１５】
まず、前記嵌合溝５に挿入される基板（ドウターボード）８０について説明する。前記基板８０には、少なくとも前記第コンタクト２０の第３接続部２０３及び前記第２コンタクト４０の第１接続部４０１と接続するランドと該ランドから回路へ繋がるパターンとを備えている。
【００１６】
つぎに、２種類の第１及び第２コンタクト２０、４０について説明する。この第１及び第２コンタクト２０、４０は金属製であり、公知技術のプレス加工によって製作されている。前記第１及び第２コンタクト２０、４０の材質としては、バネ性や導電性などが要求されるので、黄銅やベリリウム銅やリン青銅等を挙げることができる。以下、それぞれのコンタクト２０、４０の構造について説明する。
【００１７】
最初に、前記第１コンタクト２０について説明する。前記第１コンタクト２０には、３つの第１接続部２０１、第２接続部２０２、第３接続部２０３が設けられるとともに３つの前記接続部２０１、２０２、２０３は略Ｕ字形状に配置されている。前記第１コンタクト２０は前記ハウジング１２に圧入や溶着やインサート成形や引っ掛け（ランス）等によって固定されており、本実施例では圧入によって固定されている。
【００１８】
前記第１接続部２０１は側面１２３から突出するように設けられ、その形状は本実施例では前記第２コンタクト４０の第３接続部４０３に接続し易いように湾曲形状にしている。前記第１接続部２０１の大きさ・形状は、相手物に接続でき、安定して接続が得られれば如何なるものでもよいが、接続安定性や相手物の形状・位置や弾性や接触力や加工性等を考慮して適宜設計する。
【００１９】
前記第２接続部２０２は、本実施例では相手物に接続する構造にしていないが、客先要求等により、接続できる構造にしてもよい。例えば、本実施例のまま、厚さを増やして、底面１２４から突出するようにして表面実装（ＳＭＴ）タイプにし、半田付けで基板に実装してもよい。また、前記第１接続部２０１のように湾曲形状にし、基板や相手物に点接触するようにしてもよい。
【００２０】
前記第３接続部２０３は前記嵌合溝５から突出するように設けられるとともに前記第２コンタクト４０の第１接続部４０１と向き合うように配置され、その形状は本実施例では前記基板８０に接続し易いように湾曲形状にしている。前記第３接続部２０３の大きさ・形状は、相手物に接続でき、安定して接続が得られれば如何なるものでもよいが、接続安定性や相手物の形状・位置や弾性や接触力や加工性等を考慮して適宜設計する。ここで言う「向き合う」とは、必ずしも同一の高さでなくてもよく、接続する前記基板８０のランド位置に沿い、ランドと接続できればよい。
【００２１】
前記第１コンタクト２０には、前記ハウジング１２に固定するための固定部２０４が上方向（基板８０の挿入方向）に突出ようように設けられている。前記固定部２０４の形状・大きさは、保持力や加工性や強度等を考慮して適宜設計する。
【００２２】
前記第１コンタクト２０には、前記第１接続部２０１及び前記第３接続部２０３から延設され、前記ハウジング１２と係合するための第１係合部２０５及び第３係合部２０６が設けられている。前記第１係合部２０５及び前記第３係合部２０６を前記ハウジング１２に係合させることにより、前記第１接続部２０１及び前記第３接続部２０３にプリテンションを予め持たせるようにしたものである。前記第１係合部２０５及び前記第３係合部２０６の形状・大きさは、接続安定性や予め与える接触力や弾性や加工性等を考慮して適宜設計する。
【００２３】
第２に、前記第２コンタクト４０について説明する。前記第２コンタクト４０には、３つの第１接続部４０１、第２接続部４０２、第３接続部４０３が設けられるとともに３つの前記接続部４０１、４０２、４０３は略Ｕ字形状に配置されている。前記第１コンタクト２０は前記ハウジング１２に圧入や溶着やインサート成形や引っ掛け（ランス）等によって固定されており、本実施例では圧入によって固定されている。
【００２４】
前記第１接続部４０１は前記嵌合溝５から突出するように設けられるとともに前記第１コンタクト２０の第３接続部２０３と向き合うように配置され、その形状は本実施例では前記基板８０に接続し易いように湾曲形状にしている。前記第１接続部４０１の大きさ・形状は、相手物に接続でき、安定して接続が得られれば如何なるものでもよいが、接続安定性や相手物の形状・位置や弾性や接触力や加工性等を考慮して適宜設計する。ここで言う「向き合う」とは、必ずしも同一の高さでなくてもよく、接続する前記基板８０のランド位置に沿い、ランドと接続できればよい。
【００２５】
前記第２接続部４０２は、本実施例では相手物に接続する構造にしていないが、客先要求等により、接続できる構造にしてもよい。例えば、本実施例のまま、厚さを増やして、底面１２４から突出するようにして表面実装（ＳＭＴ）タイプにし、半田付けで基板に実装してもよい。また、前記第１接続部４０１のように湾曲形状にし、基板や相手物に点接触するようにしてもよい。
【００２６】
前記第３接続部４０３は側面１２３と同一か側面１２３から突出しない（ハウジング１２内）ように設けられ、その形状は本実施例では前記第１コンタクト２０の第１接続部２０１に接続し易いように略コ字形状にしている。前記第３接続部４０３の大きさ・形状は、相手物に接続でき、安定して接続が得られれば如何なるものでもよいが、接続安定性や相手物の形状・位置や弾性や接触力や加工性等を考慮して適宜設計する。略コ字形状にしたのは、前記第１コンタクト２０の第１接続部２０１と接続するのに、点ではなく、面にするためである。
【００２７】
前記第２コンタクト４０には、前記ハウジング１２に固定するための固定部４０４が上方向（基板８０の挿入方向）に突出ようように設けられている。前記固定部４０４の形状・大きさは、保持力や加工性や強度等を考慮して適宜設計する。
【００２８】
前記第２コンタクト４０には、前記第１接続部４０１及び前記第３接続部４０３から延設され、前記ハウジング１２と係合するための第１係合部４０５及び第３係合部４０６が設けられている。前記第１係合部４０５及び前記第３係合部４０６を前記ハウジング１２に係合させることにより、前記第１接続部４０１及び前記第３接続部４０３にプリテンションを予め持たせるようにしたものである。前記第１係合部４０５及び前記第３係合部４０６の形状・大きさは、接続安定性や予め与える接触力や弾性や加工性等を考慮して適宜設計する。
【００２９】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００３０】
前記ハウジング１２には、所要数の前記第１コンタクト２０及び前記第２コンタクト４０が装着される挿入溝１２１、１２１が設けられており、圧入や溶着やインサート成形や引っ掛け（ランス）等によって固定されている。本実施例では、前記挿入溝１２１、１２１は幅方向に並行に設けられている。前記挿入溝１２１、１２１の形状・大きさは、前記第１コンタクト２０及び前記第２コンタクト４０が挿入・保持できれば如何なるものでもよく、接続安定性や保持力や強度や加工性等考慮して適宜設計する。
【００３１】
前記ハウジング１２には、接続対象物（本実施例では基板８０）が入る嵌合溝５が長手ピッチ方向に一連に、かつ、前記挿入溝１２１、１２１と連設して設けられている。前記嵌合溝５の形状・大きさは、接続対象物（本実施例では基板８０）が入り、かつ、前記第１コンタクト２０の第３接続部２０３と前記第２コンタクト４０の第１接続部４０１が突出できればよく、接続対象物（本実施例では基板８０）の形状・大きさに沿い、接続安定性や接触力や加工性や強度等を考慮して適宜設計する。本実施例では前記嵌合溝５を一連に設けたが、接続対象物（本実施例では基板８０）が入ればよく、長手ピッチ方向両側には壁を設けてもよい。
【００３２】
前記コネクタ１０には、前記コネクタ１０同士を連結してコネクタ装置１にするための係合手段が設けられている。前記係合手段としては、前記コネクタ１０同士を連結できれば如何なるものでもよい。本実施例では、前記連結手段として、前記ハウジング１２の幅方向のどちらか一方の側面に内側に突出した略Ｌ字形状の係合突出片１４を長手ピッチ方向両側に設け、逆側（他方）の側面に外側に突出した略Ｌ字形状の係止突出片１６を前記係合突出片１４に対応する位置に設け、前記係合突出片１４と前記係止突出片１６を係合させることによりコネクタ１０を連結させて、コネクタ装置１にしている。このようにすれば、同一コネクタ１０で複数のコネクタ１０を連結することも可能である。
【００３３】
別の係合手段について説明する。
例えば、図示はしないが、長手ピッチ方向で、かつ、幅方向の両側に孔を設けておき、前記孔に別部品の連結具を挿入して連結させてもよい。
例えば、図示はしないが、長手ピッチ方向で、かつ、幅方向のどちらか一方側で、高さ方向のある位置に孔を設け、他方側に突起を設けておき、前記孔と前記突起を連結させることにより連結させてもよい。このようにすれば、同一コネクタ１０で複数のコネクタ１０を連結することも可能である。
例えば、図示はしないが、長手ピッチ方向で、かつ、幅方向の両側で、高さ方向のある位置に孔を設けておき、前記孔に別部品の連結具を挿入して連結させてもよい。
【産業上の利用可能性】
【００３４】
本発明は、ＰＬＣ（プログラマブルロジックコントローラ）やＰＣや交換機等の通信機器や電気機器や電子機器に使用されるコネクタに活用され、特に、簡単な構造で、かつ、容易に複数の接続対象物との接続ができる構造に関するものである。
【符号の説明】
【００３５】
１      コネクタ装置
５      嵌合溝
１０    コネクタ
１２    ハウジング
１２１  挿入溝
１２２  上面
１２３  側面
１２４  底面
１２５  第１係止部
１２６  第２係止部
１２７  第３係止部
１２８  第４係止部
１４    係合突出片
１６    係止突出片
２０    第１コンタクト
２０１  第１接続部
２０２  第２接続部
２０３  第３接続部
２０４  固定部
２０５  第１係合部
２０６  第３係合部
４０    第２コンタクト
４０１  第１接続部
４０２  第２接続部
４０３  第３接続部
４０４  固定部
４０５  第１係合部
４０６  第３係合部
８０    基板
【図１】
2013008500.tif 000003
【図２】
2013008500.tif 000004
【図３】
2013008500.tif 000005
【図４】
2013008500.tif 000006
【図５】
2013008500.tif 000007